【事件の表示】
　特願２００３−３１９２０８「光走査装置及びそれを用いた画像形成装置」拒絶査定不服審判事件〔平成１７年　３月３１日出願公開、特開２００５−　８４５６５〕について、次のとおり審決する。
【結　論】
　本件審判の請求は、成り立たない。
【理　由】
第１　手続の経緯
　本願は、平成１５年９月１１日の特許出願であって、平成１８年２月３日付け、平成２１年６月１０日付け及び同年９月７日付けで手続補正がなされたところ、同年１０月８日付けで前記平成２１年９月７日付けの手続補正が却下されるとともに同日付けで拒絶査定がなされ、これに対し、平成２２年１月１３日に拒絶査定不服審判請求がなされるとともに、これと同時に手続補正がなされたものである。
　
　
第２　平成２２年１月１３日付けの手続補正についての補正却下の決定
［補正却下の決定の結論］
　平成２２年１月１３日付けの手続補正を却下する。
　
［理由］
１　補正の内容・目的
（１）補正の内容
　平成２２年１月１３日付けの手続補正（以下「本件補正」という。）は、特許請求の範囲につき、補正前の請求項５（請求項１を引用するもの）を、以下のとおりの請求項１に補正することを含むものである。
　
「複数の光源手段と、前記複数の光源手段から放射された複数の光束を異なる偏向面にて偏向反射するポリゴンミラーと、前記ポリゴンミラーの偏向面に前記複数の光源手段から放射された複数の光束の各々を主走査方向に長い線像として結像させる入射光学手段と、前記ポリゴンミラーの異なる偏向面で偏向反射された複数の走査光束毎に設けられた走査光学手段と、を備え、
　前記複数の走査光学手段の各々は、異なる被走査面上に前記走査光束を結像させている光走査装置において、
　主走査断面内において、前記複数の走査光学手段は、前記ポリゴンミラーを挟んで対向配置されており、
　前記走査光学手段の光軸方向において、前記ポリゴンミラーを挟んで対向配置された走査光学手段の間に遮光部材が配置されており、
　前記遮光部材は、主走査断面内において、前記遮光部材の先端が前記被走査面上に到達する走査光束が通過する領域まで延長されており、
　前記遮光部材は、副走査断面内において、前記走査光束がケラレないように前記走査光束が通過できる切り欠き部を有しており、
　前記複数の走査光学手段の各々は、前記偏向面から順に、第１の走査レンズ第２の走査レンズを有し、前記第２の走査レンズは、前記第１の走査レンズを透過した走査光束が前記第２の走査レンズの入射面２１ａで反射することで発生したゴースト光束が前記遮光部材にて遮光されるように、副走査方向に傾いて配置されており、
　前記第２の走査レンズの入射面で反射することで発生したゴースト光束は、主走査断面内及び副走査断面内において集光された状態で前記遮光部材にて遮光されていることを特徴とする光走査装置。」
　
（２）補正の目的
　本件補正は、補正前の請求項５の「前記遮光部材は、主走査断面内において、前記被走査面上に到達する有効光束が通過する領域まで延長しており」との特定事項を、「前記遮光部材は、主走査断面内において、前記遮光部材の先端が前記被走査面上に到達する走査光束が通過する領域まで延長されており」と限定し、補正前の請求項５の「前記複数の走査光学手段の各々は、前記走査光学素子を複数有し、前記複数の走査光学素子のうち少なくとも１つは副走査方向に傾いて配置されている」との特定事項を、「前記複数の走査光学手段の各々は、前記偏向面から順に、第１の走査レンズ第２の走査レンズを有し、前記第２の走査レンズは、前記第１の走査レンズを透過した走査光束が前記第２の走査レンズの入射面２１ａで反射することで発生したゴースト光束が前記遮光部材にて遮光されるように、副走査方向に傾いて配置されており」と限定し、補正前の請求項５に、「前記第２の走査レンズの入射面で反射することで発生したゴースト光束は、主走査断面内及び副走査断面内において集光された状態で前記遮光部材にて遮光されている」との限定を付加するものであるから、平成１８年法律第５５号改正附則第３条第１項によりなお従前の例によるとされる同法による改正前の特許法（以下「平成１８年改正前特許法」という。）第１７条の２第４項第２号の特許請求の範囲の減縮を目的とするものに該当する。
　
２　独立特許要件
　そこで、本件補正後の特許請求の範囲の請求項１に係る発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　
（１）引用刊行物記載の発明
　ア　原査定の拒絶の理由に引用された、本願の出願前に頒布された刊行物である特開２００３−２０２５１２号公報（以下「引用刊行物１」という。）には、図とともに以下の事項が記載されている（下線は審決で付した。以下同じ。）。
　
（ア）「【特許請求の範囲】
【請求項１】　
複数の光源から放射された複数の光束を、複数の偏向面をもつ同一の偏向器の異なる偏向面で偏向させ、光束ごとに設けた各々の走査レンズ系を介して対応する被走査面上に導光させる光走査装置において
該偏向面への入射光束の光路と、該偏向面で反射偏向され、該被走査面上に入射する走査光束の光路とに挟まれた非有効領域の少なくとも１つに遮光部材を設け
一方の走査レンズ系のレンズ表面で反射したフレア光が他方の走査レンズ系に入射することを防止していることを特徴とする光走査装置
　
（イ）「【発明の詳細な説明】
【０００１】
【発明の属する技術分野】本発明は光走査装置及びそれを用いたカラー画像形成装置に関し、特に複数の光源から光変調され出射した複数の光束を回転多面鏡等より成る単一の偏向器で反射偏向（偏向走査）させた後、ｆθ特性を有する走査レンズ系を介してそれぞれ対応する被走査面上を光走査して画像情報を記録するようにした、例えば電子写真プロセスを有するレーザービームプリンタやデジタル複写機、マルチファンクションプリンタ（多機能プリンタ）等の画像形成装置に好適なものである。」
　
（ウ）「【０００２】
【従来の技術】従来よりレーザービームプリンタ（ＬＢＰ）等の光走査装置においては画像信号に応じて光源手段から光変調され出射した光束を、例えば回転多面鏡（ポリゴンミラー）より成る偏向器により周期的に偏向させ、ｆθ特性を有する走査レンズ系によって感光性の記録媒体（感光ドラム）面上にスポット状に集束させ、その面上を光走査して画像記録を行っている。
【０００３】図８は従来の光走査装置の要部斜視図である。
【０００４】同図において光源手段８１から出射した発散光束はコリメーターレンズ８２により略平行光束とされ、絞り８３により光束径が制限された後に副走査方向にのみ所定の屈折力を有するシリンドリカルレンズ８４に入射される。
シリンドリカルレンズ８４に入射した略平行光束のうち主走査断面内においてはそのままの状態で射出する。また副走査断面内においては集束してポリゴンミラーから成る偏向器８５の偏向面（反射面）８５ａにほぼ線像として結像している
【０００５】そして偏向器８５の偏向面８５ａで反射偏向された光束をｆθ特性を有する走査レンズ系（ｆθレンズ系）８６を介して被走査面としての感光ドラム面上（不図示）に導光し、該偏向器８５を回転させることによって該感光ドラム面上を光走査して画像情報の記録を行っている。
【０００６】
図９は従来の光走査装置の主走査方向の要部断面図（主走査断面図）
【０００７】同図においては２つの光源１０１，１０２から放射された２本の光束Ｒｉ１，Ｒｉ２を絞り、コリメーターレンズ、そしてシリンドリカルレンズ９６を介し４つの面（偏向面）を有するポリゴンミラー（偏向器）９３の隣接する面９３ａ，９３ｂで同時に反射偏向し、光束ごとに走査レンズ系ＳＬ１１、ＳＬ１２を介し、別々の感光ドラム面９８，９９上へ結像させている。
・・・
【０００９】図１０は従来のカラー画像形成装置の要部概略図であり、図９に示す光走査装置を２組並列にして配置し、２つの偏向器により合計４本の走査線を描画する。
・・・
【００１１】このように単一のポリゴンミラーで複数の光束を走査することで、従来１つの光束に１つ必要であったポリゴンミラーを省くことができ、これにより装置全体の簡素化を図っている。
【００１２】
【発明が解決しようとする課題】このようなポリゴンミラーを共用するタイプの光走査装置においては、図９に示すように一方の光走査装置（第１のスキャナーＳＫ１１）で画像を描く際、第１の走査レンズ９１のレンズ表面９１ａで反射されたフレア光Ｒｆが他方の光走査装置（第２のスキャナーＳＫ１２）の走査レンズ系ＳＬ１２を透過し、感光ドラム面９９上へ入射するという問題点が生じていた。
【００１３】特に図９に示すような２つの光源が走査レンズ系の光軸に対して同じ側に配置された光走査装置の場合、該走査レンズ系の光軸に対して光源側からのフレア光が光量的に問題となる。
【００１４】図１１は従来の光走査装置におけるフレアの到達範囲を説明するグラフである。
【００１５】同図に示すグラフにおいて、横軸は第１のスキャナーＳＫ１１で走査される走査光Ｒｓの正規の結像位置を示し、縦軸はレンズ表面で反射されるフレア光Ｒｆの到達位置を示している。
【００１６】上記図９に示したように第１のスキャナーＳＫ１１が像高Ｙ＝−４７．２ｍｍ〜−１０９．４ｍｍの間を走査する際にフレア光Ｒｆはポリゴンミラー９３などで反射せずにそのまま第２の走査レンズ系ＳＬ１２に入射する（図１１の領域Ａ）。像高Ｙ＝１０９．４ｍｍ近傍では、走査レンズ系の光軸に対して光源と反対側からのフレア光が発生する（図１１の領域Ｃ）。その中間の領域はレンズ表面で反射されたフレア光はポリゴンミラー９３で再び反射し、画像有効域外へ向かうため問題とならない（図１１の領域Ｂ）。
【００１７】ここで、レンズ表面に反射防止膜を蒸着することでフレア光を低減することも考えられるが、近年低コスト化のために多用されているプラスチックレンズは反射防止膜を蒸着することが難しく、また反射防止膜はコストが高くついてしまう。そのため、反射防止膜以外の解決手段が望まれている。
【００１８】通常のフレア光はポリゴンミラーの回転に伴い、その到達位置も変化するものであるが、ここに示したフレア光はポリゴンミラーの回転角度とは無関係に感光ドラム面上で略静止してしまう。
【００１９】即ち、第１の走査レンズ系ＳＬ１１の第１の走査レンズ９１の第１面９１ａからのフレア光ＲＦは図１１に示すように、レーザービームが画像全域を走査する際、画像中央付近（図１１の縦軸−２０(mm)〜１０(mm)の範囲）に到達し、そこで略静止している。それゆえ、たとえ反射防止膜を蒸着したとしても、極僅かな量の反射光は存在し、そのような反射光が静止し蓄積されれば、画像上視認されるレベルまでの光量となってしまう。
【００２０】以上説明したのと同様に、第２の走査レンズ系ＳＬ１２の第１の走査レンズ９２からの反射光が第１の走査レンズ系ＳＬ１１に入射するフレア光も存在する。
【００２１】因みに、一つの感光ドラムを一つのポリゴンミラーで走査するタイプの光走査装置においては、上述したフレア光は走査レンズを保持する筐体の壁に当たるため、被走査面に入射することはない。
【００２２】本発明はプラスチックレンズなどの簡易な部品で高品質な画像を形成することができる光走査装置及びそれを用いたカラー画像形成装置の提供を目的とする。」
　
（エ）「【００３４】
【発明の実施の形態】（実施形態１）
図１は本発明の光走査装置（レーザービームプリンタ）の実施形態１の要部断面図
図２は図１に示したポリゴンミラー周辺を拡大して示した要部断面図
【００３５】尚、本明細書においては走査レンズ系の光軸と偏向器により偏向された光束とが形成する面を主走査断面、走査レンズ系の光軸を含み主走査断面と直交する面を副走査断面と定義する。
【００３６】図中、
ＳＫ１、ＳＫ２は各々第１、第２のスキャナー
第１、第２のスキャナーＳＫ１、ＳＫ２は、各々光源手段（３１，３２）と、該光源手段（３１，３２）から放射した光束を規制する開口絞り（３３，３４）と、入射光束を他の光束に変換するコリメーターレンズ（３５，３６）と、主走査方向に長い線像として結像させる共用のシリンドリカルレンズ６と、偏向手段としての単一の偏向器３と、該偏向器３で反射偏向された光束を被走査面上にスポットに形成する走査レンズ系（ＳＬ１、ＳＬ２）とを有している
【００３７】
第１、第２の走査レンズ系ＳＬ１、ＳＬ２は各々第１、第２の２枚の走査レンズ１、２１、２、２２を有し、偏向器３により反射偏向された光束を対応する被走査面３７，３８上にスポット状に結像させている。また第１、第２の走査レンズ系ＳＬ１、ＳＬ２は副走査断面内において偏向器３の偏向面近傍と被走査面３７、３８近傍との間を共役関係にすることにより、倒れ補正機能を有している
【００３８】３７，３８は各々被走査面としての感光ドラム面である。
【００３９】
４は第１の遮光部材であり、偏向面３ａへの入射光束Ｒｉ１の光路と、該偏向面３ａで反射偏向され、被走査面３７上に入射する走査光束Ｒｓの光路とに挟まれた非有効領域に配しており、第１の走査レンズ１のレンズ表面Ｒ１ａで反射したフレア光Ｒｆ１が第２の走査レンズ系ＳＬ２に入射することを防止している
・・・
【００４４】本実施形態においては上記の如く第１の走査レンズ系ＳＬ１を構成する第１の走査レンズ１の第１面Ｒ１ａからの反射光を遮るために偏向器３への入射光束Ｒｉ１の光路と、偏向器３で反射偏向される走査光束Ｒｓの光路とに挟まれた非有効領域に第１の遮光部材４を配置している。
・・・
【００４８】ポリゴンミラー３は高速回転を行うため、風切り音による騒音が問題となっている。それゆえ、ポリゴンミラー３の周りには該ポリゴンミラー３の回転に伴う風の流れを乱すような部材を配置することは極力避けた方がよい。また、風の流れが乱れることで、ポリゴンミラー３に回転ムラが発生し、それによって主走査方向のジッターが発生することも問題となる。
【００４９】以上の理由から、ポリゴンミラー３から遠くてもフレア光をカットできる位置に第１の遮光部材４を配置する必要がある。
・・・
【００５１】以上説明したように本実施形態では入射光束Ｒｉと走査光束Ｒｓとに挟まれる領域で、しかもＢＤ光束が位置しない方の領域に第１の遮光部材を配置することで、ポリゴンモーターの騒音や主走査方向のジッターなどを悪化せずに、且つプラスチックレンズに高価な反射防止膜などを蒸着しなくても、効果的にフレア光を防止することが可能となる。
・・・
【００５３】同様に第２の走査レンズ系ＳＬ２の第１の走査レンズ２のレンズ表面Ｒ２ａからの反射光も第１、第２の遮光部材４、５により第１の走査レンズ系ＳＬ１に入射しないようにしている。」
　
（オ）上記（エ）によれば、上記（ア）（請求項１）の光走査装置の発明は、その実施形態において、第１のスキャナーＳＫ１及び第２のスキャナーＳＫ２からなるものといえる。
　
（カ）上記（エ）を踏まえて実施形態１の要部断面図（主走査断面図。上記（ウ）の【０００６】も参照。）を示す図１及びそのポリゴンミラー周辺を拡大して示した図２を見ると、第１の走査レンズ系ＳＬ１と第２の走査レンズ系ＳＬ２とは、主走査断面内において、偏光器（ポリゴンミラー）３を挟んで対向配置されていること、及び、「第１の遮光部材４」を「配して」いる「偏向面３ａへの入射光束Ｒｉ１の光路と、該偏向面３ａで反射偏向され、被走査面３７上に入射する走査光束Ｒｓの光路とに挟まれた非有効領域」（【００３９】）は、第１の走査レンズ系ＳＬ１と第２の走査レンズ系ＳＬ２との間であること、が見て取れる。
　
（キ）従来技術に関する上記（ウ）【０００７】の記載事項を踏まえれば、上記（エ）【００３６】の「共用のシリンドリカルレンズ６」に関する「主走査方向に長い線像として結像させる」との記載は、「偏向器３の各偏向面に入射光束を主走査方向に長い線像として結像させる」ことを意味するものと認められる。
　
　上記摘記事項の記載を総合すると、引用刊行物１には、以下の発明（以下「引用発明」という。）が記載されていると認められる。
　
「　複数の光源から放射された複数の光束を、複数の偏向面をもつ同一の偏向器の異なる偏向面で偏向させ、光束ごとに設けた各々の走査レンズ系を介して対応する被走査面上に導光させる光走査装置において、
　該偏向面への入射光束の光路と、該偏向面で反射偏向され、該被走査面上に入射する走査光束の光路とに挟まれた非有効領域の少なくとも１つに遮光部材を設け、
　一方の走査レンズ系のレンズ表面で反射したフレア光が他方の走査レンズ系に入射することを防止している光走査装置であって、
　上記光走査装置は、第１のスキャナーＳＫ１及び第２のスキャナーＳＫ２からなり、
　第１、第２のスキャナーＳＫ１、ＳＫ２は、各々光源手段（３１，３２）と、該光源手段（３１，３２）から放射した光束を規制する開口絞り（３３，３４）と、入射光束を他の光束に変換するコリメーターレンズ（３５，３６）と、偏向器３の各偏向面に入射光束を主走査方向に長い線像として結像させる共用のシリンドリカルレンズ６と、偏向手段としての単一の偏向器３と、該偏向器３で反射偏向された光束を被走査面上にスポットに形成する走査レンズ系（ＳＬ１、ＳＬ２）とを有し、
　第１の走査レンズ系ＳＬ１と第２の走査レンズ系ＳＬ２とは、主走査断面内において、偏光器（ポリゴンミラー）３を挟んで対向配置されており、
　第１、第２の走査レンズ系ＳＬ１、ＳＬ２は各々第１、第２の２枚の走査レンズ１、２１、２、２２を有し、偏向器３により反射偏向された光束を対応する被走査面３７，３８上にスポット状に結像させ、また第１、第２の走査レンズ系ＳＬ１、ＳＬ２は副走査断面内において偏向器３の偏向面近傍と被走査面３７、３８近傍との間を共役関係にすることにより、倒れ補正機能を有しており、
　第１の遮光部材４は、第１の走査レンズ系ＳＬ１と第２の走査レンズ系ＳＬ２との間であって、偏向面３ａへの入射光束Ｒｉ１の光路と、該偏向面３ａで反射偏向され、被走査面３７上に入射する走査光束Ｒｓの光路とに挟まれた非有効領域に配されており、第１の走査レンズ１のレンズ表面Ｒ１ａで反射したフレア光Ｒｆ１が第２の走査レンズ系ＳＬ２に入射することを防止している、
　光走査装置。」
　
　イ　原査定の拒絶の理由に引用された、本願の出願前に頒布された刊行物である実願平３−５５２８８号（実開平５−２１１７号）のＣＤ−ＲＯＭ（以下「引用刊行物２」という。）には、図とともに以下の事項が記載されている。
　
（ア）「【実用新案登録請求の範囲】
【請求項１】画像情報に応じて変調されたレーザ光を被走査面に照射する光学走査装置であって、前記レーザ光を出射する光源と、前記光源から出射されたレーザ光を線状に結像させる第１光学系と、前記第１光学系により結像させられたレーザ光を前記被走査面側へ偏向するポリゴンミラーと、ｆ・θ特性を有し、前記ポリゴンミラーの反射面近傍の結像と、前記被走査面上の結像とが光学的な共役関係になるように配置された第２光学系と、
前記ポリゴンミラーと前記第２光学系との間に設けられ、前記ポリゴンミラーで偏向されたレーザ光を前記被走査面の有効領域に照射するための切欠き部を有する遮光部材
　
（イ）「【０００１】
　　【産業上の利用分野】
　本考案は、平面スキャナ等に用いる光学走査装置に関する。」
　
（ウ）「【０００３】
【考案が解決しようとする課題】
　しかしながら、ポリゴンミラーの面倒れ補正機構を有するアナモフィック光学系においては、ポリゴンミラーの面数と、ポリゴンミラーの偏向面に対するレーザ光の入射角度の関係とによって、有効走査面内の一定点にゴースト像が発生するという問題がある。ゴースト像が発生するのは、被走査面に照射されたレーザ光の一部が被走査面上で反射してポリゴンミラーへ戻り、ポリゴンミラーの隣り合う偏向面で再度反射した光が被走査面上で結像するためである。
【０００４】　本考案の目的は、切欠き部を有する遮光部材を設けて、被走査面上でのゴースト像の発生を防止できる光学走査装置を提供することにある。」
　
（エ）「【０００６】
　【作用】
　本考案によれば、光源から出射されたレーザ光が第１光学系でポリゴンミラーの近傍に線状に結像される。第１光学系により線状に結像されたレーザ光は、ポリゴンミラーに入射すると被走査面側へ偏向される。
ポリゴンミラーで偏向されたレーザ光は遮光部材の切欠き部及び第２光学系を通って被走査面の有効領域だけに照射される
【０００７】
　
被走査面では、反射された一部の反射光がポリゴンミラー側に向かう。しかし、この反射光は、ポリゴンミラーの手前、すなわち、遮光部材の被走査面側で遮られたり、また、遮光部材で遮られなかった反射光がポリゴンミラーで再度反射された場合でも、反射光の大部分が遮光部材のポリゴンミラー側で遮られる。これにより、被走査面上にゴースト像は生じない
　
（オ）「【０００８】
　【実施例】
　図１は本考案の一実施例による光学走査装置を用いた平面スキャナの概略構成を示す斜視図である。
・・・
【００１３】
　図２はポリゴンミラー２４からフィルム４に到る光学系の構成を示している。・・・
【００１４】
　また、ポリゴンミラー２４とｆ・θレンズ２５との間で、フィルム側のポリゴンミラー２４の回転を妨げない位置には、ポリゴンミラー２４で偏向されたレーザ光をフィルム４の有効領域にだけ照射させるための矩形の遮光板２６が設けられている。
遮光板２６の一端にはポリゴンミラー２４で偏向されたレーザ光を通すためのコ字状の切欠き部２６ａが形成されている。この切欠き部２６ａの深さは、前記レーザ光をフィルム４の有効領域だけに照射するように定められている
・・・
【００１８】
　なお、前記実施例ではコ字状の切欠き部を設けたが、この形状はコ字状に限られるものではない。」
　
（カ）「【００１９】
　【考案の効果】
　本考案においては、ポリゴンミラーと第２光学系との間に、
被走査面の有効領域へのレーザ光だけを通過させる遮光部材を設けたので、被走査面で反射された一部の反射光は、ポリゴンミラーの手前で遮光部材により遮られ、また、はじめに遮光部材で遮られなかった反射光がポリゴンミラーで再度反射され、被走査面側に向かう場合でも、大部分が遮光部材で遮られる
この結果、反射光の被走査面への影響はほとんどなくなり、ゴースト像の発生を防止することができる
　
（２）対比
　本願補正発明と引用発明とを対比する。
　
　ア　引用発明の「複数の光源」は、本願補正発明の「複数の光源手段」に相当する。
　
　イ　引用発明の「偏向器」は、「複数の光源から放射された複数の光束を、複数の偏向面をもつ同一の偏向器の異なる偏向面で偏向させ」るものであって、「ポリゴンミラー」であるから、引用発明の「偏向器」は、本願補正発明の「（前記複数の光源手段から放射された複数の光束を異なる偏向面にて偏向反射する）ポリゴンミラー」に相当する。
　
　ウ　引用発明の「偏向器３の各偏向面に入射光束を主走査方向に長い線像として結像させる共用のシリンドリカルレンズ６」は、本願補正発明の「（前記ポリゴンミラーの偏向面に前記複数の光源手段から放射された複数の光束の各々を主走査方向に長い線像として結像させる）入射光学手段」に相当する。
　
　エ　引用発明の「（複数の光源から放射された複数の光束を、複数の偏向面をもつ同一の偏向器の異なる偏向面で偏向させ、光束ごとに設けた）各々の走査レンズ系」は、本願補正発明の「前記ポリゴンミラーの異なる偏向面で偏向反射された複数の走査光束毎に設けられた走査光学手段」に相当する。
　
　オ　引用発明の「光走査装置」は、「複数の光源から放射された複数の光束を、複数の偏向面をもつ同一の偏向器の異なる偏向面で偏向させ、光束ごとに設けた各々の走査レンズ系を介して対応する被走査面上に導光させる」ものであるから、引用発明の「光走査装置」は、本願補正発明の「光走査装置」に相当し、引用発明は、本願補正発明の「前記複数の走査光学手段の各々は、異なる被走査面上に前記走査光束を結像させている光走査装置」との特定事項を備える。
　
　カ　引用発明の光走査装置は、「第１の走査レンズ系ＳＬ１と第２の走査レンズ系ＳＬ２とは、主走査断面内において、偏向器（ポリゴンミラー）３を挟んで対向配置されて」いるものであるから、本願補正発明の「主走査断面内において、前記複数の走査光学手段は、前記ポリゴンミラーを挟んで対向配置されており」との特定事項を備える。
　
　キ　引用発明においては、「第１の遮光部材４は、第１の走査レンズ系ＳＬ１と第２の走査レンズ系ＳＬ２との間であって、偏向面３ａへの入射光束Ｒｉ１の光路と、該偏向面３ａで反射偏向され、被走査面３７上に入射する走査光束Ｒｓの光路とに挟まれた非有効領域に配されて」いるから、引用発明の「第１の遮光部材」は、本願補正発明の「遮光部材」に相当し、引用発明は、本願補正発明の「前記走査光学手段の光軸方向において、前記ポリゴンミラーを挟んで対向配置された走査光学手段の間に遮光部材が配置されており」との特定事項を備える。
　
　ク　引用発明において、「第１、第２の走査レンズ系ＳＬ１、ＳＬ２は各々第１、第２の２枚の走査レンズ１、２１、２、２２を有し」ているから、引用発明は、本願補正発明の「前記複数の走査光学手段の各々は、前記偏向面から順に、第１の走査レンズ第２の走査レンズを有し」との特定事項を備える。
　
　したがって、本願補正発明と引用発明とは、
「複数の光源手段と、前記複数の光源手段から放射された複数の光束を異なる偏向面にて偏向反射するポリゴンミラーと、前記ポリゴンミラーの偏向面に前記複数の光源手段から放射された複数の光束の各々を主走査方向に長い線像として結像させる入射光学手段と、前記ポリゴンミラーの異なる偏向面で偏向反射された複数の走査光束毎に設けられた走査光学手段と、を備え、
　前記複数の走査光学手段の各々は、異なる被走査面上に前記走査光束を結像させている光走査装置において、
　主走査断面内において、前記複数の走査光学手段は、前記ポリゴンミラーを挟んで対向配置されており、
　前記走査光学手段の光軸方向において、前記ポリゴンミラーを挟んで対向配置された走査光学手段の間に遮光部材が配置されており、
　前記複数の走査光学手段の各々は、前記偏向面から順に、第１の走査レンズ第２の走査レンズを有している、光走査装置。」
である点で一致し、以下の点で相違する。
　
ａ．遮光部材が、本願補正発明では、「主走査断面内において、前記遮光部材の先端が前記被走査面上に到達する走査光束が通過する領域まで延長されており」、「副走査断面内において、前記走査光束がケラレないように前記走査光束が通過できる切り欠き部を有しており」とされているのに対して、引用発明では、そのような事項が特定されていない点（以下「相違点１」という。）。
　
ｂ．本願補正発明は、「前記第２の走査レンズは、前記第１の走査レンズを透過した走査光束が前記第２の走査レンズの入射面２１ａで反射することで発生したゴースト光束が前記遮光部材にて遮光されるように、副走査方向に傾いて配置されており」、「前記第２の走査レンズの入射面で反射することで発生したゴースト光束は、主走査断面内及び副走査断面内において集光された状態で前記遮光部材にて遮光されている」とされているのに対して、引用発明は、そのような特定事項を有していない点（以下「相違点２」という。）。
　
（３）判断
　上記各相違点について検討する。
　
　ア　相違点１について
　引用刊行物２には、上記（１）イに示した事項が記載され、画像情報に応じて変調されたレーザ光を被走査面に照射する光学走査装置であって、前記レーザ光を出射する光源と、前記光源から出射されたレーザ光を線状に結像させる第１光学系と、前記第１光学系により結像させられたレーザ光を前記被走査面側へ偏向するポリゴンミラーと、ｆ・θ特性を有し、前記ポリゴンミラーの反射面近傍の結像と、前記被走査面上の結像とが光学的な共役関係になるように配置された第２光学系とを備えた光学走査装置において、前記ポリゴンミラーと前記第２光学系との間に、前記ポリゴンミラーで偏向されたレーザ光を前記被走査面の有効領域に照射するための切欠き部を有する遮光部材を設けることにより、ポリゴンミラーで偏向されたレーザ光は遮光部材の切欠き部及び第２光学系を通って被走査面の有効領域だけに照射されるとともに、被走査面で反射された一部の反射光を遮り、ゴースト像の発生を防止することができる技術が開示されている。なお、ここで、引用刊行物２の切欠き部は、「前記ポリゴンミラーで偏向されたレーザ光を前記被走査面の有効領域に照射するための」ものであるから、遮光部材は該「偏向されたレーザ光」が通過する領域まで延長されているものであるといえる。
　そして、引用発明と上記引用刊行物２に記載された技術とは、同様の光学系を備えた光走査装置である点で一致し、ポリゴンミラーと走査レンズ系（第２光学系）との間に遮光部材を設けることにより、（発生箇所は異なるものの）フレア光（反射光）を遮るものである点で共通する。
　したがって、引用発明の第１の遮光部材において、偏向器（ポリゴンミラー）で反射偏向された光束を被走査面の有効領域に照射し、かつフレア光を遮ることができる構成として、引用刊行物２に記載された遮光部材に切欠き部を有する技術を適用し、相違点１に係る本願補正発明の特定事項となすことは、当業者が容易になし得たことである。
　
　イ　相違点２について
（ア）光源手段から放射された光束を偏向反射するポリゴンミラーと走査レンズ系とを備えた光走査装置において、走査光束が走査レンズのレンズ面で反射することで発生する反射光がゴースト光として作用することを防止するために、走査レンズ系の少なくとも１つの走査レンズを、副走査方向に傾いて配置することは、本願の出願時において周知の技術である（必要であれば、特開平９−３３８４２号公報（特許請求の範囲、図１、２等参照。）、特開平７−２３００５１号公報請求項１、４、実施例１、２の記載、及び図１〜６等参照。）。特開平４−６０６０６号公報（請求項１、４、第２実施例の記載及び図４等参照。）、特開平１−２３９５１９号公報（特許請求の範囲、第１図等参照。）を参照。）。
　したがって、引用発明において、各走査レンズ系のレンズ面での反射によるゴースト光を考慮して、走査レンズを副走査方向に傾いて配置するようになすことは、当業者が容易になし得たことである。また、その際、各走査レンズ系における第２の走査レンズを傾けるようにすることは、当業者が適宜選択し得る程度のことである。
　
（イ）なお、相違点２に係る本願補正発明の「前記第２の走査レンズの入射面で反射することで発生したゴースト光束は、主走査断面内及び副走査断面内において集光された状態で前記遮光部材にて遮光されている」との特定事項について、本願補正発明において、遮光部材において「集光された状態」とするために必要な構成（走査光学手段における各走査レンズのパワー等）は何ら特定されていないところ、本願明細書には、走査光学手段（走査レンズ系）の光学的設計に関して、「第１、第２の走査レンズ系ＳＬ１、ＳＬ２は各々第１、第２の２枚の走査レンズ（走査光学素子）１、２１、２、２２を有し、偏向器３により反射偏向された光束を対応する被走査面３７，３８上にスポット状に結像させている。また第１、第２の走査レンズ系ＳＬ１、ＳＬ２は副走査断面内において偏向器３の偏向面近傍と被走査面３７、３８近傍との間を共役関係にすることにより、倒れ補正機能を有している。」（【００５０】）との記載がある。してみると、本願補正発明において、上記のように遮光部材において集光状態が得られるのは、走査光学手段が「偏向面近傍と被走査面３７、３８近傍との間を共役関係にする」よう構成されていることにより、被走査面において結像する走査光束が、第２の走査レンズの入射面で反射してゴースト光束とされた場合に、「ポリゴンミラーを挟んで対向配置された走査光学手段の間」の偏向器（ポリゴンミラー）の近傍の領域に配置された遮光部材にて集光（結像）するためであると解することができる。
　
（ウ）引用発明において、第１の走査レンズ系及び第２の走査レンズ系は、「偏向器３により反射偏向された光束を対応する被走査面３７，３８上にスポット状に結像させ、また第１、第２の走査レンズ系ＳＬ１、ＳＬ２は副走査断面内において偏向器３の偏向面近傍と被走査面３７、３８近傍との間を共役関係にする」よう構成されているものであって、上記（イ）を踏まえれば、各走査レンズ系における２枚のレンズのうち被走査面側にある走査レンズ（第２のレンズ）の入射面で反射することで発生したゴースト光束は、本願補正発明と同様に、偏向器の偏向面近傍で集光された状態となるといえるから、引用発明において、上記（ア）のとおり周知技術を適用し、発生したゴースト光束を主走査断面内及び副走査断面内において集光された状態で遮光部材にて遮光されるようになし、相違点２に係る本願補正発明の特定事項となすことは、当業者が容易になし得たことである。
　
　ウ　以上の検討によれば、本願補正発明は、引用発明、引用刊行物２に記載された技術事項及び周知技術に基づいて当業者が容易に発明をすることができたものであるから、特許法第２９条第２項の規定により、特許出願の際独立して特許を受けることができないものである。
　
（４）むすび
　以上のとおり、本件補正は、平成１８年改正前特許法第１７条の２第５項において準用する同法第１２６条第５項の規定に違反するものであるから、同法第１５９条第１項の規定において読み替えて準用する同法第５３条第１項の規定により却下すべきものである。
　
　
第３　本願発明について
１　本願発明
　本件補正は上記のとおり却下されたので、本願の請求項に係る発明は、平成２１年６月１０日付け手続補正後の特許請求の範囲の請求項１〜７に記載された事項によって特定されるものであるところ、その請求項１に係る発明（以下「本願発明」という。）は、次のとおりのものと認められる。
　
「複数の光源手段と、前記複数の光源手段から放射された複数の光束を異なる偏向面にて偏向反射するポリゴンミラーと、前記ポリゴンミラーの偏向面に前記複数の光源手段から放射された複数の光束の各々を主走査方向に長い線像として結像させる入射光学手段と、前記ポリゴンミラーの異なる偏向面で偏向反射された複数の有効光束毎に設けられた少なくとも１枚の走査光学素子を有する走査光学手段と、を備え、
　前記複数の走査光学手段の各々は異なる被走査面上に前記有効光束を結像させる光走査装置において、
　主走査断面内において、前記複数の走査光学手段は、前記ポリゴンミラーを挟んで対向配置されており、
　前記走査光学手段の光軸方向において、前記ポリゴンミラーを挟んで対向配置された走査光学手段の間間には遮光部材が配置されており、
　前記遮光部材は、主走査断面内において、前記被走査面上に到達する有効光束が通過する領域まで延長しており、副走査方向を含む断面内において、前記有効光束がケラレないように前記有効光束が通過できる切り欠き部を有していることを特徴とする光走査装置。」
　
２　引用刊行物記載の発明
　本願の出願前に頒布され、原査定の拒絶の理由に引用された引用刊行物１及び２の記載事項、及び引用発明は、上記第２の２（１）に示したとおりである。
　
３　対比・判断
　上記第２の２（２）の検討を踏まえると、本願発明と引用発明とは、
「複数の光源手段と、前記複数の光源手段から放射された複数の光束を異なる偏向面にて偏向反射するポリゴンミラーと、前記ポリゴンミラーの偏向面に前記複数の光源手段から放射された複数の光束の各々を主走査方向に長い線像として結像させる入射光学手段と、前記ポリゴンミラーの異なる偏向面で偏向反射された複数の有効光束毎に設けられた少なくとも１枚の走査光学素子を有する走査光学手段と、を備え、
　前記複数の走査光学手段の各々は異なる被走査面上に前記有効光束を結像させる光走査装置において、
　主走査断面内において、前記複数の走査光学手段は、前記ポリゴンミラーを挟んで対向配置されており、
　前記走査光学手段の光軸方向において、前記ポリゴンミラーを挟んで対向配置された走査光学手段の間間には遮光部材が配置されている、光走査装置。」
である点で一致し、
　遮光部材が、本願発明では、「主走査断面内において、前記被走査面上に到達する有効光束が通過する領域まで延長しており、副走査方向を含む断面内において、前記有効光束がケラレないように前記有効光束が通過できる切り欠き部を有している」とされているのに対して、引用発明では、そのような事項が特定されていない点で相違する。
　しかしながら、上記第２の２（３）の検討を踏まえると、引用発明の第１の遮光部材において、偏向器（ポリゴンミラー）で反射偏向された光束を被走査面の有効領域に照射し、かつフレア光を遮ることができる構成として、引用刊行物２に記載された遮光部材に切欠き部を有する技術を適用し、上記相違点に係る本願発明の特定事項となすことは、当業者が容易になし得たことである。
　よって、本願発明は、引用発明及び引用刊行物２に記載された技術事項に基づいて当業者が容易に発明をすることができたものである。
　
４　むすび
　以上のとおり、本願発明は、引用刊行物１に記載された発明及び引用刊行物２に記載された技術事項に基づいて当業者が容易に発明をすることができたものであるから、特許法第２９条第２項の規定により、特許を受けることができない。
　
　よって、結論のとおり審決する。